(57)【要約】【課題】ゴキブリによる基板パターン間のショートを未然に防ぐことで、故障しない炊飯器を提供する。【解決手段】本発明の炊飯器は、炊飯器本体と、炊飯器本体に着脱自在に収納される内鍋と、前記内鍋を加熱するための加熱手段と、前記加熱手段を制御する制御装置を備えた制御基板と、炊飯操作するための入力装置を備えた操作基板と、前記制御基板と前記操作基板を炊飯器本体に支持する１面が開口した角柱形状の基板ベースをそれぞれ備え、前記基板ベースの開口面に前記制御基板及び前記操作基板を設置する。【選択図】図１
2006055564.tif 000002
【特許請求の範囲】
【請求項１】
炊飯器本体と、炊飯器本体に着脱自在に収納される内鍋と、前記内鍋を加熱するための加熱手段と、前記加熱手段を制御する制御装置を備えた制御基板と、炊飯操作するための入力装置を備えた操作基板と、前記制御基板と前記操作基板を炊飯器本体に支持する一面が開口した略角柱形状の基板ベースとを備え、前記基板ベースの開口面に少なくとも前記制御基板と前記操作基板の一方を設置した炊飯器。
【請求項２】
基板ベースの開口面に設置された少なくとも制御基板と操作基板の一方が孔部を有し、前記孔部の基板パターン面側の外周部と、基板ベースの前記基板パターン面に対向する面に設けたリブとが当接する構成とした請求項１に記載の炊飯器。
【請求項３】
基板ベースの開口面に設置された少なくとも制御基板と操作基板の一方が孔部を有し、前記孔部の基板パターン面側の外周部と、基板ベースの前記基板パターン面に対向する面に設けたリブとの隙間は、０．３ｍｍ〜０．５ｍｍとした請求項１に記載の炊飯器。
【請求項４】
リブは、孔部の基板パターン面側の外周部に対向する範囲にのみに設けた請求項２または３に記載の炊飯器。
【請求項５】
リブは、孔部と対向する範囲のみに設け、前記リブの天面は、基板のパターン面より上面に設ける構成とした請求項１に記載の炊飯器。
【請求項６】
リブの角はエッジ形状とした請求項３または４に記載の炊飯器。
【請求項７】
孔部周辺にゴキブリ忌避材を塗布した請求項２〜６のいずれか１項に記載の炊飯器。
【発明の詳細な説明】
【技術分野】
【０００１】
本発明は、一般家庭、あるいは業務用に使用する炊飯器に関するものである。
【背景技術】
【０００２】
炊飯器は、従来より、台所を主に配置されていた。台所は、常に食物及び水がある為、ゴキブリが繁殖しやすい環境にある。炊飯器には、炊飯器の内部を冷却する目的で開口部が多数存在する為、その開口部からコキブリの侵入は可能であった。また、ゴキブリは、室温が２５℃〜３１℃の状態を好む為、特に室温の低い冬期においては、炊飯器が通電状態にあると、基板部品及び加熱手段等の自己発熱により炊飯器内部の雰囲気温度は上昇し、前述のゴキブリの好む室温２５℃〜３１℃とほぼ同等になっていた。更には、ゴキブリは、自身の身体がこすれる程度の隙間、身を隠せる暗い場所を好む習性があり、炊飯器の内部はゴキブリが存在するには、最適の環境下にあった。
【０００３】
上記理由で、ゴキブリが繁殖している台所に設置された炊飯器の内部には、多くのゴキブリが炊飯器の内部に侵入し、一旦炊飯器の内部に侵入したコキブリは炊飯器の内部に滞在する傾向にあった。
【０００４】
特許文献１に、従来例の炊飯器が開示されている。従来例の炊飯器は、炊飯器を制御する制御基板を基板ベース内に内装し、基板ベース開口部に、着脱自在にゴキブリが好んで内部に入るゴキブリ補集ボックスを設けている。この構成をとることにより、炊飯器内部に侵入したゴキブリは、ゴキブリ補集ボックスに導かれ、補集ボックス内に集められる。
【特許文献１】特開２００１−１４５５６０号公報
【発明の開示】
【発明が解決しようとする課題】
【０００５】
特許文献１に開示された従来例の炊飯器は、基板ベース開口部に、着脱自在にゴキブリが好んで内部に入るゴキブリ補集ボックスを設けているため、ゴキブリがコキブリ補集ボックスに導かれる際には、制御基板と基板ベースの間を通過する可能性があった。ゴキブリが制御基板と基板ベースの間を通過する際に制御基板パターン面を通過してしまうと、ゴキブリが基板パターン間を跨ぐことにより、基板パターン間をショートしてしまい、そのことが要因で炊飯器を故障してしまうという問題が発生していた。
【０００６】
また、ゴキブリは、一度集まった場所に再び集まり、巣を作る習性があるため、ゴキブリ補集ボックスを設け、ゴキブリを集めることによりかえって、炊飯器の設置箇所周辺のゴキブリを呼び集めてしまい、前述の基板パターン間ショートの可能性を増加させると共に、炊飯器の内部に巣を作ってしまうことから、ゴキブリそのものが衛生上悪いだけでなく、ゴキブリの死骸等を介して、その他の病原菌が繁殖してしまう可能性があり、衛生上に良くないという問題もあった。
【０００７】
本発明の炊飯器は、前記従来の課題を解決するもので、ゴキブリが制御基板及び操作基板とそれぞれに対応した基板ベースの間に侵入できない構成をとることにより、ゴキブリによる基板パターン間のショートを未然に防ぎ、故障しない炊飯器を提供することを目標とする。
【課題を解決するための手段】
【０００８】
前記従来の課題を解決するために、本発明の炊飯器は、炊飯器本体と、炊飯器本体に着脱自在に収納される内鍋と、前記内鍋を加熱するための加熱手段と、前記加熱手段を制御する制御装置を備えた制御基板と、炊飯操作するための入力装置を備えた操作基板と、前記制御基板と前記操作基板を炊飯器本体に支持する一面が開口した略角柱形状の基板ベースとを備え、前記基板ベースの開口面に少なくとも前記制御基板と前記操作基板の一方を設置したものである。
【０００９】
これによって、コギブリが制御基板及び操作基板とそれぞれに対応した基板ベースの間に侵入できないため、ゴキブリによる基板パターン間のショートを未然に防ぎ、故障しない炊飯器を提供することができる。また、同時にゴキブリが制御基板及び操作基板とそれぞれに対応した基板ベースの間にゴキブリが存在できないため、ゴキブリやゴキブリの死骸等が制御基板及び操作基板とそれぞれに対応した基板ベースの間に滞在することがなく、衛生的に炊飯器を使用することもできる。
【００１０】
請求項２記載の発明は、基板ベースの開口面に設置された少なくとも制御基板と操作基板の一方が孔部を有し、前記孔部の基板パターン面側の外周部と、基板ベースの前記基板パターン面に対向する面に設けたリブとが当接する構成とした請求項１に記載の炊飯器である。
【００１１】
これによって、基板に孔部を有する構成においても、基板と基板ベースの間の隙間が発生しないため、コギブリが制御基板及び操作基板とそれぞれに対応した基板ベースの間に侵入することを防止することができる。
【００１２】
請求項３記載の発明は、基板ベースの開口面に設置された少なくとも制御基板と操作基板の一方が孔部を有し、前記孔部の基板パターン面側の外周部と、基板ベースの前記基板パターン面に対向する面に設けたリブとの隙間は、０．３ｍｍ〜０．５ｍｍとした請求項１に記載の炊飯器である。
【００１３】
これによって、基板に孔部を有する構成においても、基板と基板ベースの間の隙間を、０．３ｍｍ〜０．５ｍｍに制限することができ、全長２ｍｍ以上のコギブリが制御基板及び操作基板とそれぞれに対応した基板ベースの間に侵入することを防止することができる。さらに、基板の冷却性能も十分に確保することができる。
【００１４】
請求項４記載の発明は、リブを、孔部の基板パターン面側の外周部と対向する範囲にのみに設けた請求項２または３に記載の炊飯器である。
【００１５】
これによって、孔部の上方に配設している基板部品が過度に温度上昇することを防止と共に、コギブリが制御基板及び操作基板とそれぞれに対応した基板ベースの間に侵入することを防止することができる。
【００１６】
請求項５記載の発明は、リブは、孔部と対向する範囲のみに設け、前記リブの天面は、基板のパターン面より上に設ける構成とした請求項１に記載の炊飯器である。
【００１７】
これによって、孔部の基板パターン面側の孔部近傍にパターン等がある場合においても、リブが孔部を塞ぐ役割を果たすことで、全長２ｍｍ以上のコギブリが制御基板及び操作基板とそれぞれに対応した基板ベースの間に侵入することを防止することができる。また、この構成をとることにより、孔部近傍にパターン等を設けることができ、基板のコンパクト化を実現でき、結果として炊飯器のコンパクト化も実現できる。
【００１８】
請求項６記載の発明は、リブの角はエッジ形状とした請求項３または４に記載の炊飯器である。
【００１９】
これによって、基板と基板ベースの間の隙間を最小限にできると共に、全長２ｍｍ以下のゴキブリを侵入しにくくすることができる。
【００２０】
請求項７記載の発明は、孔部周辺にゴキブリ忌避材を塗布した請求項２〜６のいずれか１項に記載の炊飯器である。
【００２１】
これによって、ゴキブリが孔部周辺に近寄ることがないため、孔部近傍から、コギブリが制御基板及び操作基板とそれぞれに対応した基板ベースの間に侵入することを防止することができる。
【発明の効果】
【００２２】
本発明の炊飯器は、コギブリが制御基板及び操作基板とそれぞれに対応した基板ベースの間に侵入できないため、ゴキブリによる基板パターン間のショートを未然に防ぎ、故障しない炊飯器を提供することができる。
【００２３】
また、本発明によれば、ゴキブリが制御基板及び操作基板とそれぞれに対応した基板ベースの間にゴキブリが存在できないため、ゴキブリやゴキブリの死骸等が制御基板及び操作基板とそれぞれに対応した基板ベースの間に滞在することがなく、衛生的に炊飯器を使用することもできる。
【発明を実施するための最良の形態】
【００２４】
以下本発明を実施するための最良の形態を具体的に示した実施の形態について、図面と共に記載する。
【００２５】
（実施の形態１）
図１〜図６を用いて本発明の実施の形態１の炊飯器を説明する。
【００２６】
図１は、本発明の実施の形態１の炊飯器の一部切欠した側面図である。破断部分に断面図を示す。図面を簡潔にするために、電気的接続のためのリード線等は省略してある。
【００２７】
図１において、炊飯器本体１は、ボディ２及び上枠３から構成しており、その内部に内鍋４を収納する保護枠５を設け、保護枠５の下方には加熱手段である誘導加熱コイル６が配置している。なお加熱手段は、ヒーターであっても良い。炊飯器本体１の前面部には、炊飯器を操作するための入力装置を備えた操作基板７が傾斜した状態で操作基板用基板ベース８の開口面９に設置している。加熱手段を制御する制御装置を備えた制御基板１０は、操作基板７の下方に略垂直に制御基板用基板ベース１１の開口面９に設置している。また、操作基板用基板ベース８と制御基板用基板ベース１１は、鉛直方向に爪勘合で固定し、それぞれの基板ベースは、上枠３とネジで固定し、操作基板用基板ベース８の傾斜及び制御基板用基板ベース１１の略鉛直の設置形態を維持している。操作基板７と制御基板１０は、リード線１２を介して接続され、操作基板７の入力装置からの信号を制御基板１０に伝達し、制御基板１０の制御装置により、内鍋４を誘導加熱し、鍋内の調理物１３を加熱調理する。調理物１３は、炊飯前の米と水又は炊き上がったご飯等である。
【００２８】
図２は制御基板１０と制御基板用基板ベース１１の要部断面図である。同図に示すように制御基板用基板ベース１１は、１面が開口した角柱形状であり、開口面９以外の面は一定の肉厚で形成され、開口面９に設置された制御基板１０とは一定の空間１４が設けられている。この空間１４は、制御基板１０にのせられた基板部品２１のリード端子やパターンと制御基板用基板ベース１１が直接接触するのを防止する役割を果たしている。制御基板１０の設置は、制御基板１０が制御基板用基板ベース１１の基板設置面に浮き等なく確実に固定するために、爪勘合、ネジ固定等で確実に固定している。なお、この構成は、操作基板７と操作基板用基板ベース８においても同様である。
【００２９】
前述の構成をとることにより、制御基板１０及び操作基板７とそれぞれに対応する基板ベースの隙間にゴキブリの侵入する経路はない。すなわち、ゴギブリが制御基板１０及び操作基板７とそれぞれに対応した基板ベースの間に侵入できないため、ゴキブリによる基板パターン間のショートを未然に防ぎ、故障しない炊飯器を提供することができる。また、同時にゴキブリが制御基板１０及び操作基板７とそれぞれに対応する基板ベースの間にゴキブリが存在できないため、ゴキブリやゴキブリの死骸等が制御基板１０及び操作基板７とそれぞれに対応する基板ベースの間に滞在することがなく、衛生的に炊飯器を使用することもできる。
【００３０】
また、図３は、制御基板１０の孔部１５周辺と制御基板用基板ベース１１の要部断面図である。同図に示すように、制御基板１０に孔部１５を有する場合は、制御基板用基板ベース１１の制御基板パターン面１６と対向する面から、孔部１５の制御基板パターン面１６側の外周部１７と当接するリブ１８を設けている。また、リブ１８と基板部品２１のリード端子やパターンが干渉すると、パターン断線等の制御基板１０の破損要因となり得るため、孔部１５の制御基板パターン面１６側の外周部１７には、基板部品２１のリード端子やパターンがないように構成する必要がある。なお、この構成は、操作基板７と操作基板用基板ベース８においても同様である。
【００３１】
前述の構成をとることにより、基板に孔部１５を有する構成においても、基板と基板ベースの間の隙間１９が発生しないため、コギブリが制御基板１０及び操作基板７とそれぞれに対応する基板ベースの間に侵入することを防止することができる。
【００３２】
また、図４は、孔部１５の制御基板パターン面１６側の外周部１７にパターンを有する制御基板１０の孔部１５周辺と制御基板用基板ベース１１の要部断面図である。
【００３３】
制御基板１０が回路構成上の問題で、孔部１５の制御基板パターン面１６側の外周部１７にもパターンを設ける場合があり、リブ１８とパターンの干渉によるパターン断線を避けるために、図４に示すように、孔部１５の制御基板パターン面１６側の外周部１７とリブ１８との間に一定の隙間１９を設ける場合がある。本発明の炊飯器においては、前述の一定の隙間１９を、実験結果に基づき、０．３ｍｍ〜０．５ｍｍに設定した。
【００３４】
以下に実験内容について説明する。本発明の炊飯器に付属する孔部１５を有する制御基板１０と制御基板用基板ベース１１の間に、全長２ｍｍ〜２．５ｍｍのゴキブリを１００匹ほど閉じ込めた状態で、水槽内にゴキブリの餌及び水と共に設置する。この状態で、５日間放置し、水槽内に出てきたゴキブリの数を測定する。（表１）に前述の試験の結果を示す。
【００３５】
【表１】
2006055564.tif 000003
【００３６】
（表１）に示すように、孔部１５周辺の隙間１９を０．５ｍｍに設定したものは、出てきたゴキブリの数は０匹で、孔部１５周辺の隙間１９を０．８ｍｍに設定したものは、出てきたゴキブリの数は全体の２０％の２０匹である。この結果により、全長２ｍｍ〜２．５ｍｍゴキブリが、侵入可能な隙間１９は、０．５ｍｍ〜０．８ｍｍの間にあることが推測できる。同表に示すように、０．５ｍｍの隙間１９では、確実にゴキブリの侵入を防げることから、隙間１９の上限を０．５ｍｍとし、部品のバラツキ、設置時のバラツキを考慮した上で、リブ１８とパターンと干渉を避けることが可能な隙間１９を０．３ｍｍとし、下限に設定した。また、リブ１８の角２０はエッジとすると、孔部１５と制御基板用基板ベース１１の間の隙間１９を最小限にできると共に、ゴキブリが身体をこすって隙間１９に侵入する際にエッジが妨げとなることから、全長２ｍｍ以下のゴキブリを侵入しにくくすることができる。また、試験用ゴキブリに全長２ｍｍ以下のゴキブリが孔部１５周辺の隙間１９に侵入しても、ショートにより炊飯器が壊れるパターン間距離は、対象となる点からφ３０ｍｍと設計しているため、全長２ｍｍ以下のゴキブリが侵入し、パターン間をショートしても炊飯器の破損の恐れはない。なお、この構成は、操作基板７と操作基板用基板ベース８においても同様である。
【００３７】
前述の構成をとることにより、基板と制御基板用基板ベース１１の間の隙間１９を、０．３ｍｍ〜０．５ｍｍに制限することができ、全長２ｍｍ以上のゴキブリが制御基板１０及び操作基板７とそれぞれに対応した基板ベースの間に侵入することを防止することができる。
【００３８】
また、図５は、孔部１５の上方に発熱する基板部品２１を有する制御基板１０の孔部１５周辺と制御基板用基板ベース１１の要部断面図である。
【００３９】
制御基板１０の孔部１５の上方に発熱する基板部品２１がある場合において、基板部品２１の過度な温度上昇を防止するため、熱を放熱する空間が必要となってくる。そのため、図５に示すように、孔部１５の下方には、制御基板用基板ベース１１からリブ１８を設けず、孔部１５の制御基板パターン面１６側の外周部１７と対向する範囲のみにリブ１８が当接している。また、孔部１５の制御基板パターン面１６側の外周部１７にパターンを有する場合は、孔部１５の制御基板パターン面１６側の外周部１７とリブ１８の隙間１９が０．３ｍｍ〜０．５ｍｍとなるようなリブ１８を設けている。
【００４０】
これによって、孔部１５の上方に配設している基板部品２１が過度に温度上昇することを防止と共に、孔部１５の制御基板パターン面１６側の外周部１７と対向する範囲のみにリブ１８が当接する場合は、コギブリが制御基板１０及び操作基板７とそれぞれに対応した基板ベースの間に侵入することを防止することができ、孔部１５の制御基板パターン面１６側の外周部１７とリブ１８の隙間１９が０．３ｍｍ〜０．５ｍｍとなるようなリブ１８を設けている場合は、全長２ｍｍ以上のゴキブリが制御基板１０及び操作基板７とそれぞれに対応した基板ベースの間に侵入することを防止することができる。
【００４１】
また、図６は、孔部１５の制御基板パターン面１６側の外周部１７にパターンを有する制御基板１０の孔部１５周辺と制御基板用基板ベース１１の要部断面図である。図６に示すように、リブ１８を孔部１５と対向する範囲のみに設け、リブ１８の天面２２は、基板のパターン面より上面に設ける構成とすることでも、リブ１８が孔部１５を塞ぐ役割を果たすことで、全長２ｍｍ以上のコギブリが制御基板１０及び操作基板７とそれぞれに対応した基板ベースの間に侵入することを防止することができる。なお、この構成は、操作基板７と操作基板用基板ベース８においても同様である。さらに、孔部１５近傍にパターン等を設けることが基板のコンパクト化を実現でき、結果として炊飯器のコンパクト化も実現できる。
【００４２】
また、孔部１５周辺にゴキブリ忌避材を塗布すると、ゴキブリが孔部１５周辺に近寄ることがないため、前述の効果を更に高めることが可能となる。
【産業上の利用可能性】
【００４３】
本発明に係わる炊飯器は、家庭用又は業務用の炊飯器として有用である。
【図面の簡単な説明】
【００４４】
【図１】本発明の実施の形態１の炊飯器の一部を切欠した側面図
【図２】本発明の実施の形態１の炊飯器の制御基板と制御基板用基板ベースの要部断面図
【図３】本発明の実施の形態１の炊飯器の制御基板の孔部周辺と制御基板用基板ベースの要部断面図
【図４】本発明の実施の形態１の炊飯器の孔部の制御基板パターン面側の外周部にパターンを有する制御基板の孔部周辺と制御基板用基板ベースの要部断面図
【図５】本発明の実施の形態１の炊飯器の孔部の上方に発熱する基板部品を有する制御基板の孔部周辺と制御基板用基板ベースの要部断面図
【図６】本発明の実施の形態１の炊飯器の孔部の制御基板パターン面側の外周部にパターンを有する制御基板の孔部周辺と制御基板用基板ベースの要部断面図
【符号の説明】
【００４５】
１  炊飯器本体
４  内鍋
７  操作基板
８  操作基板用基板ベース
９  開口面
１０  制御基板
１１  制御基板用基板ベース
１５  孔部
１６  制御基板パターン面
１７  外周部
１８  リブ
１９  隙間
２０  角
２２  天面
【図１】
2006055564.tif 000004
【図２】
2006055564.tif 000005
【図３】
2006055564.tif 000006
【図４】
2006055564.tif 000007
【図５】
2006055564.tif 000008
【図６】
2006055564.tif 000009